(57)【要約】【課題】  カードの不用意な排出を防止しつつ、ばねに依存せずにカードを確実に排出することができる、簡易な構造のカードコネクタを提供する。【解決手段】  カードコネクタ１は、スライドとイジェクトロッド３０を備えている。イジェクトロッド３０は、主軸の回りに回転可能であって奥側先端部にシェル２０に対するロックを担うロッドロック部３１を有する。シェル２０には、スライド溝２１１とロック溝２１２が形成されている。スライド溝２１１は、ロッドロック部３１を受け入れてイジェクトロッド３０のスライドを許容する溝である。また、ロック溝２１２は、イジェクトロッド３０が回転操作されたときにロッドロック部３１が入り込んでイジェクトロッド３１をロックする溝である。イジェクトロッド３０を回転させて手前側に引くとスライダが手前側にスライドしてカードが押し出される。【選択図】        図１
2015032349.tif 000002
【特許請求の範囲】
【請求項１】
電気的な接続を担うパッドを有するカードが挿入されて該カードを受容するケースと、
前記ケースに受容されたカードのパッドに接触するコンタクトと、
挿入されてきたカードに押されて挿入方向奥側にスライドするスライダと、
前記スライダに係合して該スライダのスライドに伴ってスライドし、該スライダが挿入方向奥側にスライドした状態において該挿入方向手前側に引かれて前記ケースに収容されていたカードを該スライダに押し出させるイジェクトロッドとを備え、
前記イジェクトロッドが、挿入方向に延びる主軸の回りに回転可能であって該挿入方向奥側先端部に前記ケースに対するロックを担うロッドロック部を有し、
前記ケースが、前記ロッドロック部を受け入れて挿入方向に延び前記イジェクトロッドのスライドを許容するスライド溝と、該スライド溝の奥側に連続し挿入方向奥側にスライドした状態のイジェクトロッドが回転操作されたときに該ロッドロック部が入り込んで該イジェクトロッドを該挿入方向奥側にスライドした状態にロックするロック溝とを有する溝部を有することを特徴とするカードコネクタ。
【請求項２】
前記ロッドロック部が、前記主軸に対し折れ曲がった根元部分と、該根元部分の先端から、該主軸の延びる向きとは異なる向きにさらに折れ曲がった先端部分とを有するＬ字状を成し、
前記溝部が、前記ケースの内外に貫通したＬ字状のスリットであって、前記スライド溝が前記根元部分と前記先端部分とのうちの一方を通過させ、前記ロック溝が該根元部分と該先端部分のうちの他方を係止させるものであることを特徴とする請求項１記載のカードコネクタ。
【請求項３】
前記イジェクトロッドが、挿入方向後端側に、前記ロッドロック部を前記ロック溝に入り込ませた姿勢に回転したときに前記ケースに挿入されたカードの後端面に対面した位置に配置されて該カードの抜止めを担い、該ロッドロック部を該ロック溝から外す姿勢に回転したときに該カードの後端面に対面した位置から退避するカード抜止部を有することを特徴とする請求項１又は２記載のカードコネクタ。
【請求項４】
前記イジェクトロッドが、一本の棒状部材の折曲げにより形成されていることを特徴とする請求項１から３のうちいずれか１項記載のカードコネクタ。
【発明の詳細な説明】
【技術分野】
【０００１】
本発明は、メモリカード等のカードが挿入されるカードコネクタに関する。
【背景技術】
【０００２】
カードコネクタには、内部に受容されているカードを取り出すためのカードイジェクト機構が備えられていることが多い。
【０００３】
例えば、特許文献１には、いわゆるプッシュ・プッシュ型のカードイジェクト機構を備えたカードコネクタが開示されている。このプッシュ・プッシュ型のカードイジェクト機構は、通常、スライダ、ハートカム溝、ロッド及びイジェクトバネから構成される。このため、このタイプのカードイジェクト機構は、部品点数が多いばかりでなく、カードコネクタにおける占有面積が無視できず、カードコネクタの小型化が困難である。またカードとの摩擦により、カードを確実に排出できないおそれがある。
【０００４】
また、特許文献２には、ばね付勢され、周囲に螺旋溝が形成されたカードイジェクト盤を備えたカードコネクタが開示されている。このイジェクト盤は、プッシュ・プッシュ式型のカードイジェクト機構と比べカードコネクタにおける占有面積が小さく、カードコネクタの小型化に寄与する。また、この特許文献２のカードコネクタの場合、シャフトの突出した先端に固定されているイジェクトつまみを押しながら回さないとロックが外れないため、カードが不用意に排出されるおそれが防止される。しかしながら、この特許文献２に開示されたカードコネクタの場合も、カードの排出はばねに依存しているため、カード排出時の摩擦等によりカードを確実に排出できないおそれがある。
【先行技術文献】
【特許文献】
【０００５】
【特許文献１】特開２００６−１９６２８５号公報
【特許文献２】特開２０００−２５２００８号公報
【発明の概要】
【発明が解決しようとする課題】
【０００６】
本発明は、受容されているカードが不用意に排出されることを防止しつつ、ばねに依存せずにカードを確実に排出することができる、簡易な構造のカードイジェクト機構を備えたカードコネクタを提供することを目的とする。
【課題を解決するための手段】
【０００７】
本発明のカードコネクタは、
電気的な接続を担うパッドを有するカードが挿入されてカードを受容するケースと、
ケースに受容されたカードのパッドに接触するコンタクトと、
挿入されてきたカードに押されて挿入方向奥側にスライドするスライダと、
スライダに係合してスライダのスライドに伴ってスライドし、スライダが挿入方向奥側にスライドした状態において挿入方向手前側に引かれてケースに収容されていたカードをスライダに押し出させるイジェクトロッドとを備え、
上記イジェクトロッドが、挿入方向に延びる主軸の回りに回転可能であってその挿入方向奥側先端部にケースに対するロックを担うロッドロック部を有し、
上記ケースが、上記ロッドロック部を受け入れて挿入方向に延びイジェクトロッドのスライドを許容するスライド溝と、そのスライド溝の奥側に連続し挿入方向奥側にスライドした状態のイジェクトロッドが回転操作されたときにロッドロック部が入り込んでイジェクトロッドを挿入方向奥側にスライドした状態にロックするロック溝とを有する溝部を有することを特徴とする。
【０００８】
本発明のカードコネクタは、上記のスライダとイジェクトロッドを備えているため、イジェクトロッドを引くことにより受容されているカードをスライダに押し出させることができる。すなわち本発明のカードコネクタはカード排出用のばねは不要であり、カードを確実に排出することができる。また、本発明のカードコネクタは、イジェクトロッドが回転可能であり、回転によりイジェクトロッドのロッドロック部がケースのロック溝に入り込んでイジェクトロッドがロックされる。したがって、そのイジェクトロッドをロックを外す向きに回転させないとカードを排出させることができず、カードの不用意な排出が防止される。
【０００９】
ここで、本発明のカードコネクタにおいて、
上記ロッドロック部が、主軸に対し折れ曲がった根元部分と、その根元部分の先端から、主軸の延びる向きとは異なる向きにさらに折れ曲がった先端部分とを有するＬ字状を成し、
上記溝部が、ケースの内外に貫通したＬ字状のスリットであって、スライド溝が根元部分と先端部分とのうちの一方を通過させ、ロック溝が根元部分と先端部分のうちの他方を係止させるものであることが好ましい。
【００１０】
このような構造にすると、一本の棒状部材の折り曲げでロッドロック部を形成することができ、カード排出機構をさらに少ない部品点数で構成することができる。
【００１１】
また、本発明のカードコネクタにおいて、上記イジェクトロッドが、挿入方向後端側に、ロッドロック部をロック溝に入り込ませた姿勢に回転したときにケースに挿入されたカードの後端面に対面した位置に配置されてカードの抜止めを担い、ロッドロック部をロック溝から外す姿勢に回転したときにカードの後端面に対面した位置から退避するカード抜止部を有することが好ましい。
【００１２】
このカード抜止部を備えると、カードに、イジェクトロッドとは無関係に不用意にカード排出方向の力が加わった場合も、カードの不用意な排出が防止される。
【００１３】
本発明のカードコネクタにおいて、上記イジェクトロッドが、一本の棒状部材の折曲げにより形成されていることが好ましい。
【００１４】
イジェクトロッド全体を一本の棒状部材の折曲げにより形成することで、部品点数の削減、更なる小型、軽量化が図られる。
【００１５】
ここで、本発明はカードコネクタに関するものであるが、本発明におけるイジェクトロッドは、互いに結合する一対のコネクタからなるコネクタ組立体に応用することができる。
【００１６】
このコネクタ組立体は、第１コネクタと、該第１コネクタに着脱される第２コネクタとを備え、
第２コネクタが、ハウジングと、そのハウジングを着脱方向に貫通して延び主軸の回りに回転可能であって第１コネクタへの装着方向先端部に第１コネクタへのロックを担うロック部を有し、後端部に、該ハウジングからの抜止めを担う抜止部を有するロッドとを備え、
第１コネクタが、上記装着方向に延び上記ロッドを受け入れてそのロッドのスライドを許容するスライド溝と、そのスライド溝の装着方向奥側に連続し奥側にスライドした状態のロッドが回転操作されたときに上記ロック部が入り込んで上記ロッドを装着方向奥側にスライドした状態にロックするロック溝とを有する溝部を有し、
上記抜止部が、第２コネクタが第１コネクタに装着されてロック部がロック溝に入り込んだ状態において第２コネクタの第１コネクタからの抜止めを担うものであることを特徴とする。
【００１７】
このコネクタ組立体によれば、第２コネクタに上記のロッドを備えるという簡易な構造によって、そのロッドを回転させて第１コネクタのロック溝に入り込ませることにより、第２コネクタが第１コネクタに組み合った状態にロックされる。
【００１８】
ここで、上記コネクタ組立体においても、上記ロッドが、一本の棒状部材の折曲げにより形成されていることが好ましい。
【００１９】
上記のロッドを一本の棒状部材の折曲げにより形成することで、部品点数の少ない、一層簡易な構造のロック機構が実現する。
【発明の効果】
【００２０】
本発明によれば、カードが不用意に排出されることを防止しつつ、カードを確実に排出することができる、簡易な構造のカードイジェクト機構を備えたカードコネクタを提供することができる。
【図面の簡単な説明】
【００２１】
【図１】本発明の第１実施形態としてのカードコネクタの外観斜視図である。
【図２】本発明の第１実施形態としてのカードコネクタの外観斜視図である。
【図３】イジェクトロッドの形状を示した斜視図である。
【図４】図１，図２に示すカードコネクタを構成するハウジング組立体の斜視図である。
【図５】図１，図２に示すカードコネクタを構成するハウジング組立体の斜視図である。
【図６】イジェクトロッドを挿入方向手前側に引き出した状態の、カードコネクタの外観斜視図である。
【図７】イジェクトロッドを挿入方向手前側に引き出した状態の、カードコネクタの外観斜視図である。
【図８】イジェクトロッドを挿入方向手前側に引き出した状態のカードコネクタを構成するハウジング組立体の斜視図である。
【図９】イジェクトロッドを挿入方向手前側に引き出した状態のカードコネクタを構成するハウジング組立体の斜視図である。
【図１０】本発明の第２実施形態としてのカードコネクタの外観斜視図である。
【図１１】図１０に外観を示すカードコネクタを構成するハウジング組立体の斜視図である。
【図１２】第２実施形態におけるイジェクトロッドの形状を示した斜視図である。
【図１３】イジェクトロッドを挿入方向手前に引き出した状態の、第２実施形態のカードコネクタの外観斜視図である。
【図１４】イジェクトロッドを挿入方向手前側に引き出した状態の、第２実施形態のカードコネクタを構成するハウジング組立体の斜視図である。
【図１５】コネクタ組立体を構成する第１コネクタと第２コネクタを互いに分離して示した、コネクタ組立体の外観斜視図である。
【図１６】第１コネクタと第２コネクタが互いに係合した状態にあるときのコネクタ組立体の外観斜視図である。
【図１７】図１６に示す状態から、第１コネクタのシェルを取り外して示した外観斜視図である。
【発明を実施するための形態】
【００２２】
以下、本発明の実施の形態を説明する。
【００２３】
図１，図２は、本発明の第１実施形態としてのカードコネクタの外観斜視図である。
【００２４】
ここで、図１は、メモリカード１００が挿し込まれてそのメモリカード１００を受容した状態を示し、図２は、図１の状態からメモリカード１００のみを消去した状態を示している。
【００２５】
このカードコネクタ１は、ハウジング組立体１０と、金属製のシェル２０を有する。それらハウジング組立体１０とシェル２０との間には、カード挿入口１ａ（図２参照）が設けられている。また、このカードコネクタ１には、ハウジング組立体１０に組み込まれたイジェクトロッド３０が備えられている。カード挿入口１ａからは、メモリカード１００が、挿入方向（矢印Ａ方向）に、図１に示す状態にまで挿入される。ただし、図２に示す状態では、イジェクトロッド３０が邪魔になってこのままではメモリカード１００は挿入することはできない。詳細は後述する。本実施形態では、ハウジング組立体１０の基体となるハウジング１１（例えば図５参照）とシェル２０とを合わせたものが、本発明にいうケースの一例に相当する。
【００２６】
図３は、イジェクトロッドの形状を示した斜視図である。
【００２７】
このイジェクトロッド３０は、基本的には挿入方向（矢印Ａ方向）に延びた棒状の部材である。このイジェクトロッド３０は、その棒状の部材の、挿入方向（矢印Ａ方向）奥側と手前側が折れ曲がって、それぞれロッドロック部３１およびカード抜止部３２を形成している。すなわち、このイジェクトロッド３０は、一本の棒状部材の折曲げにより形成されている。
【００２８】
ロッドロック部３１は、根元部分３１１と先端部分３１２とで構成されている。根元部分３１１は、挿入方向（矢印Ａ方向）に延びる主軸に対しほぼ９０°折れ曲がった部分である。また、先端部分３１２は、根元部分３１１の先端から主軸の延びる向き（矢印Ａ方向）とは異なる向きにさらにほぼ９０°折れ曲がった部分である。このロッドロック部３１は、後述するスライダ１３（例えば図４参照）への係合とシェル２０へのロックを担っている。
【００２９】
また、カード抜止部３２も主軸に対し折れ曲がって形成されている。このカード抜止部３２は、挿入されているメモリカード１００の抜止めと、このイジェクトロッド３０を引き出すときの指掛かりを担っている。
【００３０】
図４，図５は、図１，図２に示すカードコネクタを構成するハウジング組立体の斜視図である。ここで、図４は、メモリカード１００が挿入されている状態を示しており、図５は、図４の状態からメモリカード１００のみを消去した状態を示している。
【００３１】
このハウジング組立体１０は、図５に示すように、ハウジング１１と、そのハウジング１１に対しインサート成形された複数のコンタクト１２を有する。このカードコネクタ１は、回路基板（図示せず）に表面実装されるタイプのコネクタである。各コンタクト１２は、その回路基板の表面に半田付けされて回路基板と電気的に接触される半田接続部１２ａを有する。
【００３２】
このカードコネクタ１に挿入されるメモリカード１００の、コンタクト１２と対面する側の面にはそのコンタクト１２に接して電気的な接続を担うパッド（不図示）が形成されている。各コンタクト１２は、回路基板とカード１００とを電気的に相互接続している。
【００３３】
また、このハウジング組立体１０には、スライダ１３と、上述のイジェクトロッド３０が備えられている。
【００３４】
スライダ１３は、ハウジング１１に対しカード挿入方向（矢印Ａ方向）奥側、およびその逆方向である挿入方向手前側にスライド自在である。このスライダ１３は、カード１００が挿入されるとその挿入されてきたカードに押されて挿入方向（矢印Ａ方向）奥側にスライドする。また、このスライダ１３には、イジェクトロッド３０のロッドロック部３１が入り込んでイジェクトロッド３０が係合する係合穴１３ａを有する。
【００３５】
イジェクトロッド３０は、ロッドロック部３１がスライダ１３の係合穴１３ａに入り込むことによってスライダ１３に係合して、スライダ１３のスライドに伴ってスライドする。ハウジング１１は、イジェクトロッド３０の両側を支えてイジェクトロッド３０のスライドを案内する一対の案内壁１１ａを有する。このイジェクトロッド３０は、スライダ１３が挿入方向（矢印Ａ方向）奥側にスライドした状態においてその挿入方向手前側に引かれて、メモリカード１００をスライダ１３に押し出させる役割を担っている。
【００３６】
このイジェクトロッド３０は、案内壁１１ａに支えられた状態のまま、挿入方向（矢印Ａ方向）に延びる主軸の回りに回転可能である。
【００３７】
図６，図７は、イジェクトロッドを挿入方向手前側に引き出した状態の、カードコネクタの外観斜視図である。ここで、図６には、ケースから排出された状態のメモリカード１００が示されており、図７は、図６の状態からメモリカード１００を取り去った状態を示している。
【００３８】
また、図８，図９は、イジェクトロッドを挿入方向手前側に引き出した状態のカードコネクタを構成するハウジング組立体の斜視図である。ここで、図８には、ケースから排出された状態のメモリカード１００が示されており、図９は、図８の状態からメモリカード１００を取り去った状態を示している。
【００３９】
図６，図７には、図１，図２に示す状態と比べ、主軸の回りに９０°回転した状態のイジェクトロッド３０が示されている。このイジェクトロッド３０のカード抜止部３２は、図１，図２に示す姿勢では挿入されているメモリカード１００の手前側端面に対面した位置にある。このためメモリカード１００が不用意に抜き取られようとしても、その抜取りはカード抜止部３２により阻止されることになる。すなわち、このカード抜止部３２は、図１，図２に示す姿勢にあるときには挿入されているメモリカード１００の抜止めを担っている。
【００４０】
イジェクトロッド３０を図１，図２に示す姿勢から９０°回転させて、カード抜止部３２を図６，図７に示すように、立てた姿勢にすると、カード抜止部３２はメモリカード１００の排出路から外れた状態となる。カード抜取部３２を図６，図７に示す立てた姿勢にまで回転させ、そのカード抜取部３２に指を掛けて引き出すと、図８，図９に示すように、イジェクトロッド３０が係止しているスライダ１３が引き出される。このスライダ３０が引き出されると、そのスライダ１３により、メモリカード１００が押し出される。
【００４１】
シェル２０には、スライド溝２１１と、そのスライド溝２１１の奥側に連続したロック溝２１２とからなる溝部２１が形成されている。スライド溝２０１は、イジェクトロッド３０のロッドロック部３１を受け入れて挿入方向（矢印Ａ方向）に延び、イジェクトロッド３０のスライドを許容する溝である。また、ロック溝２１２は、挿入方向（矢印Ａ方向）奥側にスライドした状態のイジェクトロッド３０が図６，図７に示す姿勢から図１，図２に示す姿勢へと回転操作されたときに、ロッドロック部３１が入り込む溝である。ロッドロック部３１がこのロック溝２１２に入り込むと、イジェクトロッド３０がその挿入方向（矢印Ａ方向）奥側にスライドした状態にロックされる。
【００４２】
ここで、ロッドロック部３１は、図３を参照して説明した通り、根元部分３１１と先端部分３１２とを有し、全体としてＬ字状を成す。根元部分３１１は、挿入方向（矢印Ａ方向）に延びる主軸に対し折れ曲がった部分である。また先端部分３１２は、その根元部分３１１の先端から主軸の延びる向きとは異なる向きにさらに折れ曲がった部分である。
【００４３】
この第１実施形態のカードコネクタ１の場合、図６，図７に示すように、シェル２０のスライド溝２１１にはロッドロック部３１の根元部分３１１が入り込んでスライド自在となっている。また、ロック溝２１２には、図１，図２に示すように先端部分３１２が入り込んでロックされる。
【００４４】
ロッドロック部３１の先端部分３１２がロック溝２１２に入り込んでイジェクトロッド３０がロックされた姿勢にあるときに、カード抜止部３２がメモリカード１００の抜止めを担う姿勢となる。カード抜止部３２をメモリカード１００の排出経路から外すように回転させると、ロッドロック部３１の先端部分３１２がロック溝２１２から外れて、根元部分３１１がスライド溝２１１にスライド自在に入り込んだ状態となる。
【００４５】
第１実施形態のカードコネクタ１は、以上の簡易な構成を備えており、イジェクトロッド３０のロックによりメモリカード１００の不用意な排出が防止される。またイジェクトロッド３０のロックを外してイジェクトロッド３０を引き出すことによりメモリカード１００が確実に排出される。
【００４６】
次に本発明のカードコネクタの第２実施形態を説明する。
【００４７】
尚、分かり易さのため、以下に説明する第２実施形態のカードコネクタにおいて、形状等の相違があっても同一機能を担う要素には前述の第１実施形態のカードコネクタの要素と同一の符号を付して示す。
【００４８】
また、ここでは、前述の第１実施形態のカードコネクタと同一の点については説明を省略し、相違点を中心に説明する。
【００４９】
図１０は、本発明の第２実施形態としてのカードコネクタの外観斜視図である。
【００５０】
また、図１１は、図１０に外観を示すカードコネクタを構成するハウジング組立体の斜視図である。
【００５１】
この第２実施形態のカードコネクタにおけるメモリカード１００の挿抜の様子は前述の第１実施形態のカードコネクタと同一である。したがって図１０，図１１、および後述する図１３，図１４では、メモリカードは図示されていない。
【００５２】
この第２実施形態のカードコネクタ１の、前述の第１実施形態のカードコネクタ１との主な相違点は、イジェクトロッド３０の形状と、シェル２０に形成された溝部２１の形状である。シェル２０に形成された溝部２１は、第１実施形態の場合と同様、スライド溝２１１とロック溝２１２とから構成されている。ここで、第１実施形態におけるロック溝２１２は、例えば図１に示すように、スライド溝２１１の奥側から、シェル２０の、挿入方向（矢印Ａ方向）に交わる幅方向内側に折れ曲がって延びる溝である。これに対し、この第２実施形態におけるロック溝２１２は、図１０に示すように、スライド溝２１１の奥側から、幅方向外側に折れ曲がって延びる溝となっている。
【００５３】
図１２は、第２実施形態におけるイジェクトロッドの形状を示した斜視図である。
【００５４】
この図１２に示す第２実施形態におけるイジェクトロッド３０も、図３に示す第１実施形態におけるイジェクトロッドと同様、一本の棒状部材の折曲げにより形成されている。また、このイジェクトロッド３０は、これも第１実施形態におけるイジェクトロッドと同様、基本的には挿入方向（矢印Ａ方向）に延びた棒状の部材である。このイジェクトロッド３０は、その挿入方向（矢印Ａ方向）奥側と手前側が折れ曲がって、それぞれ、ロッドロック部３１、およびカード抜止部３２を形成している。ロッドロック部３１は、根元部分３１１と先端部分３１２とで構成されている。カード抜止部３２も、主軸に対し折れ曲がって形成されている。ただし、図３に示す第１実施形態のイジェクトロッドと比べたとき、このカード抜止部３２の折れ曲がりの向きは、ロッドロック部３１の折れ曲がりの向きを合わせたとき９０°異なっている。
【００５５】
図１３は、イジェクトロッドを挿入方向手前に引き出した状態の、第２実施形態のカードコネクタの外観斜視図である。
【００５６】
また、図１４は、イジェクトロッドを挿入方向手前側に引き出した状態の、第２実施形態のカードコネクタを構成するハウジング組立体の斜視図である。
【００５７】
イジェクトロッド３０のカード抜止部３２を、図１０，図１１に示す向き、すなわちカード挿入口１ａを塞ぐ向きに回転させる。すると、ロッドロック部３１の根元部分３１１がロック溝２１２に入り込み、イジェクトロッド３０がロックされる。前述の第１実施形態では、ロック溝２１２に入り込むのは、ロッドロック部３１の先端部分３１２であるが、この第１実施形態では、ロッドロック部３１の根元部分３１１がロック溝２１２に入り込んでロックの役割を担っている。
【００５８】
カード抜止部３２が下向きとなるようにイジェクトロッド３０を主軸の回りに９０°回転させると、ロッドロック部３１はロック溝２１２から外れる。この回転により、ロッドロック部３１の根元部分３１１がスライド溝２１１に入り込む。この状態でカード抜止部３２に指を掛けてイジェクトロッド３０を挿入方向（矢印Ａ方向）手前側に引き出す。すると、スライダ１３も一緒に挿入方向（矢印Ａ方向）手前側にスライドし、挿入されていたメモリカード（不図示）がそのスライダ１３により押し出される。
【００５９】
このように、イジェクトロッド３０の形状は一義的ではなく、複数の態様があり得る。また、シェル２０の溝部２１の形状等も、そのイジェクトロッド３０の形状に合わせた形状が採用される。
【００６０】
次にコネクタ組立体について例示する。
【００６１】
図１５は、コネクタ組立体を構成する第１コネクタと第２コネクタを分離して示した、コネクタ組立体の外観斜視図である。
【００６２】
図１６は、第１コネクタと第２コネクタが互いに係合した状態にあるときのコネクタ組立体の外観斜視図である。
【００６３】
また、図１７は、図１６に示す状態から、第１コネクタのシェルを取り外して示した外観斜視図である。
【００６４】
第１コネクタ５０は、ハウジング５１とシェル５２とを有する。ハウジング５１には、図１５に示すように、第２コネクタ６０の結合部６１１が入り込む結合穴５１１が設けられている。
【００６５】
また、ハウジング５１には、後述するロッド６２が入り込む溝部５１２が形成されている。また、シェル５２にも、ハウジング５１の溝部５１２と同形に延びるスリット５２２が形成されている。
【００６６】
第２コネクタ６０は、第１コネクタ５０に着脱されるコネクタであって、ハウジング６１を備えている。ハウジング６１は、第１コネクタ５０の向きに突出した結合部６１１を有し、この結合部６１１が第１コネクタ５０のハウジング５１に形成されている結合穴５１１に嵌入する。
【００６７】
また、これら図１５〜図１７には、ケーブル７０の一端部が示されている。このケーブル７０は、第２コネクタ６０のハウジング６１内のコンタクト（図示せず）に接続されている。
【００６８】
さらに、この第２コネクタ６０はロッド６２を備えている。このロッド６２は、第１コネクタ５０への装着方向にスライド自在に、かつその主軸の回りに回転自在に、第２コネクタ６０のハウジング６１に支持されている。
【００６９】
このロッド６２は、一本の棒状部材の折曲加工により形成されたものである。このロッド６２は、第１コネクタ５０への装着方向先端部に、その第１コネクタ５０へのロックを担うロック部６２１を有する。またこのロッド６２は、その後端部に、ハウジング６１からのロッド６２の抜止めを担う抜止部６２２を有する。第１コネクタ５０に形成された溝部５１２は、スライド溝５１２ａと、ロック溝５１２ｂを有する。また、これに合わせて、シェル５２のスリット５２２は、スライドスリット５２２ａとロックスリット５２２ｂを有する。スライド溝５１２ａ（スライドスリット５２２ａ）は、装着方向に延びロッド６２を受け入れてそのロッド６２のスライドを許容する溝である。また、ロック溝５１２ｂ（ロックスリット５２２ｂ）は、スライド溝５１２ａ（スライドスリット５２２ａ）の装着方向奥側に連続している。このロック溝５１２ｂ（ロックスリット５２２ｂ）は、奥側にスライドした状態のロッド６２が回転操作されたときにロッド６２のロック部６２１が入り込む溝（スリット）である。ロッド６２のロック部６２１がこのロック溝５１２ｂ（ロックスリット５２２ｂ）に入り込むと、ロッド６２が装着方向奥側にスライドした状態にロックされる。
【００７０】
ロッド６２の抜止部６２２は、図１６に示す状態における、第２コネクタ６０のハウジング６１から食み出した部分の折曲げにより形成されている。この図１６に示す状態は、第２コネクタ６０が第１コネクタ５０に装着されてロッド６２のロック部６２１がロック溝５１２ｂ（ロックスリット５２２ｂ）に入り込んだ状態である。これにより、この抜止部６２２は、第１コネクタ５０に装着された第２コネクタ６０が第１コネクタ５０から不用意に抜けてしまうことを防止している。
【００７１】
このコネクタ組立体２によれば、ロッド６２を回転させて第１コネクタ５０のロック溝５１２ｂ（ロックスリット５２２ｂ）に入り込ませることにより、第２コネクタ６０が第１コネクタ５０に組み合った状態にロックされる。このロックは、第２コネクタ６０に上記のロッド６２を備えるという簡易な構造によって達成されている。さらに、このロッド６２は、一本の棒状部材の折曲げにより形成されており、部品点数の少ない、簡易な構造のロック機構を実現している。
【符号の説明】
【００７２】
１    カードコネクタ
１ａ    カード挿入口
２    コネクタ組立体
１０    ハウジング組立体
１１，５１，６１    ハウジング
１１ａ    案内壁
１３    スライダ
１３ａ    係合穴
２０，５２    シェル
２１，５１２    溝部
３０    イジェクトロッド
３１    ロッドロック部
３２    カード抜止部
５０    第１コネクタ
６０    第２コネクタ
６２    ロッド
７０    ケーブル
１００    メモリカード
２１１，５１２ａ    スライド溝
２１２，５１２ｂ    ロック溝
３１１    根元部分
３１２    先端部分
５１１    結合穴
５２２    スリット
５２２ａ    スライドスリット
５２２ｂ    ロックスリット
６１１    結合部
６２１    ロック部
６２２    抜止部
【図１】
2015032349.tif 000003
【図２】
2015032349.tif 000004
【図３】
2015032349.tif 000005
【図４】
2015032349.tif 000006
【図５】
2015032349.tif 000007
【図６】
2015032349.tif 000008
【図７】
2015032349.tif 000009
【図８】
2015032349.tif 000010
【図９】
2015032349.tif 000011
【図１０】
2015032349.tif 000012
【図１１】
2015032349.tif 000013
【図１２】
2015032349.tif 000014
【図１３】
2015032349.tif 000015
【図１４】
2015032349.tif 000016
【図１５】
2015032349.tif 000017
【図１６】
2015032349.tif 000018
【図１７】
2015032349.tif 000019